(57)【要約】      （修正有）【課題】ゴミ集積場におけるからすなどの鳥類によるごみ食い散らを防止するための、防鳥ネット装置を提供する。【解決手段】糸を織成又は網組したプラスチック製等からなる集積されたごみ袋を覆う防護ネット１に、光沢性を有する素材からなる侵入防止線材２を適宜間隔を有して取り付けて集積場のごみ袋を覆って鳥害を防止するものである。【選択図】図１
0003176873.tif 000002
【実用新案登録請求の範囲】
【請求項１】
糸を織成又は網組したプラスチック製等の防護ネットに光沢性を有する素材からなる半円弧状又は線状の侵入防止コイルから形成される侵入防止コイルを適宜間隔で取り付けてなるコイル付防鳥ネット。
【請求項２】
前記  侵入防止用ネットが半円弧状のコイルを用いて防護ネットに締結される、請求項１記載のコイル付防鳥ネット。
【請求項３】
前記  侵入防止用ネットが線状コイルを用いて防護ネットに適宜締結して、その先端側を空中に浮揚させる請求項１記載のコイル付防鳥ネット。
【考案の詳細な説明】
【技術分野】
【利用分野】
【０００１】  本考案は、各団地等の集積場や路地に集積している生もの入りごみ袋をからすなど鳥類からの食い散らかしを阻止する防鳥ネットに関するものである。
【背景技術】
【０００２】  団地などのごみ集積場のなま物などのごみを鳥・動物等が侵入して食い散らかし周囲に散乱するのを防止するために高額な出費を必要とする強固なボックスの設置や集積されたむき出しのごみ袋を防護網で被覆して周囲をブロックなどの錘で押さえるもの等があった。
【考案の概要】
【考案が解決しようとする課題】
【０００３】  前示のとおりごみ集積塲の鳥・動物害対策は社会問題であり、場所の制限も多く高額な出費を必要とする固定したボックスの設置が困難な場合が多く、また  現在多く利用されている「防護網」では鳥・動物害対策は十分ではなかった。
本考案は鳥類、特に被害の大きいからすの習性を利用して侵入を防ぐ防鳥コイルを取り付けてごみ集積場における鳥害防止を図ることを目的とするものである。
【課題を解決するための手段】
【０００４】  本考案に係るコイル付防鳥ネット装置は、糸を織成又は網組されたプラスチック製等の集積したごみを被覆する防護ネットの糸部分に光沢性を有する素材からなる半円弧状または線状の侵入防止用コイルを適宜間隔で取付けてなることを特徴とするものである。【０００５】  さらに、前記侵入防止用コイルは、半円弧のコイルを防護ネットに形成することを特徴とするものである。【０００６】  さらに、前記侵入防止用コイルは、線状コイルを防護ネットの中央部分に適宜・締結してその先端部分を空中に浮揚させることを特徴とするものである。
【考案の効果】
【０００７】  本考案は、従来用いられている防鳥ネットに、鳥類特にからすが忌み嫌う習性を利用して侵入を防止してごみ類の散乱を防ぐことができる。
【図面の簡単な説明】
【０００８】  従来のネットに、半円弧状又は線状に形成される釣り等に利用される素材を用いて侵入防止用コイルを適宜取り付けるため、簡便かつ容易に形成され、同時に設置する際も特別な操作が不要であり、多額な費用を必要せず安価に効果的な防護ネットを得ることができる。【０００９】
【図１】本考案のコイル付防鳥ネットの一実施例を示す正面図である。
【図２】図１の要部拡大図である。
【図２】本考案の設置状態を示す断面図である。
【考案を実施するための形態】
【００１０】  本考案に係るコイル付防鳥ネット装置は、防護ネットに円弧状又は線状の防鳥コイル２を取り付けて集積場のごみ袋３を覆い鳥害を防止するものである。
【実施例】
【００１１】    以下、添付図面に従って実施例を説明する。
この防護ネット１は麻、ナイロンまたはテトロン等の化学製品を組成とした太さ０．５〜１．０ｍｍの糸で構成され、網目の大きさ１ｃｍ〜５ｃｍ平方を基準としていずれも糸の太さ、網目の大きさ任意であり、この防護ネット１の大きさは３〜５ｍ平方のものが主として用いられるが集積物により変更は可能である。着色には制限はない。【００１２】  防護ネット１に取り付けられる侵入防止用コイル２は、図１及び図２示すように、防護ネット１の表全面に亘って糸部分に２０ｃｍ〜３０ｃｍの長さをもつ半円弧状に形成したコイル２ａを１０ｃｍ〜３０ｃｍ間隔に図２とおり防護ネットに締結する。【００１３】  この半円弧状に形成されたのコイル２ａは、予め円弧に形成して適宜の間隔で締結される以外  防護ネット１に、長形とした線状体を防護ネット１に円弧状を呈するように直線状に締結するものであってもよい。【００１４】  この侵入防止用コイル２の材質は  ナイロン、テトロン等の化学繊維で光沢のあるものが最適である。例えば、蛍光性の釣り糸５．０号が望ましい。【００１５】  侵入防止用コイル２は、円弧状コイル２ａを防護ネット１に取り付ける以外、図２に示すように前記半円弧状のコイル２ａと同様の糸（長さ２０〜３０ｃｍ）を用いた線状コイル２ｂを根元側を締結して、片方側を解放した吹き流しに形成することによって、より効果的な防護対策とすることができる。【００１６】  図３は侵入防止ネット２を備えたコイル付防鳥ネットの設置状況を示すもので集積されたごみ袋３を覆って使用に供される。
使用後は折り畳み通常のネット装置とその取扱いが変わらない収納可能な利便性がある。
【符号の説明】
【００１７】    １，  防護ネット
２、  侵入防止用コイル
２ａ，侵入防止用コイル２の円弧状コイル
２ｂ，侵入防止用コイル２の線状コイル
３，  ごみ袋
【図１】
0003176873.tif 000003
【図２】
0003176873.tif 000004
【図３】
0003176873.tif 000005
【手続補正書】
【提出日】平成24年2月6日(2012.2.6)
【手続補正１】
【補正対象書類名】実用新案登録請求の範囲
【補正対象項目名】全文
【補正方法】変更
【補正の内容】
【実用新案登録請求の範囲】
【請求項１】
糸を織成又は網組したプラスチック製等からなる集積されたごみ袋を覆う防護ネットに、光沢性を有する素材からなる侵入防止線材を適宜間隔を有して取り付けてなる防鳥ネット。
【請求項２】
前記侵入防止線材を防護ネットに、適宜間隔を有して半円弧状に取付けてなる防鳥ネット。
【請求項３】
前記侵入防止線材を防護ネットに、その根元側を締結し、先端側を自由端として浮揚させて取り付けてなる防鳥ネット。
【手続補正２】
【補正対象書類名】明細書
【補正対象項目名】全文
【補正方法】変更
【補正の内容】
【考案の詳細な説明】
【技術分野】
【０００１】  本考案は、各団地等の集積場や路地に集積している生もの入りのごみ袋をからすなどの鳥類による食い散らかしを阻止する防鳥ネットに関するものである。
【背景技術】
【０００２】  団地などのごみ集積場のなま物などのゴミを鳥・動物等が侵入して食い散らかし周囲に散乱するのを防止するために高額な出費を必要とする強固なボックスの設置や集積されたむき出しのごみ袋を防護網で被覆して周囲をブロックなどの錘で押さえるもの等があった。
【考案の概要】
【考案が解決しようとする課題】
【０００３】  前示のとおり、ごみ集積場の鳥・動物害対策は社会問題であり、場所の制限も多く高額な出費を必要とする固定したボックスの設置が困難の場合が多く、又、現在多く利用されている防護網では鳥・動物害対策は十分でなかった。【０００４】  本考案は、鳥類特に被害の大きいからすの習性を利用して侵入を防ぎ、ごみ集積場における鳥害防止を図ることを目的とするものである。
【課題を解決するための手段】
【０００５】  本考案に係る防鳥ネットは、糸を織成又は網組したプラスチック製等からなる集積されたごみ袋を覆う防護ネットに、光沢性を有する素材からなる侵入防止線材を適宜間隔を有して取り付けてなることを特徴とするものである。【０００６】  さらに、前記侵入防止線材を防護ネットに、適宜間隔を有して半円弧状に取付けてなることを特徴とするものである。【０００７】  さらに、前記侵入防止線材を防護ネットに、その根元側を締結し、先端側を自由端として浮揚させて取り付けてなることを特徴とするものである。
【考案の効果】
【０００８】  本考案は、従来用いられている防護ネットに、鳥類特にからすが忌み嫌う習性を利用して侵入を防止してごみ類の散乱を防ぐことができる。【０００９】  従来のネットに、釣り糸等に利用されている光沢性を有する素材からなる侵入防止線材を適宜間隔で適宜取り付けるもので、簡便かつ容易に製せられ、同時に設置する際も特別な操作が不要であり、多額な費用を必要とせず安価に効果的な防鳥ネットを得ることができる。
【図面の簡単な説明】
【０００１０】
【図１】  本考案に係る防鳥ネットの一実施例を示す正面図である。
【図２】  図１の要部拡大図である。
【図３】  設置状態を示す賂示図である。
【考案を実施するための形態】
【０００１１】  本考案に係る防鳥ネットは、糸を織成又は網組したプラスチック製等からなる集積されたごみ袋を覆う防護ネット１に、光沢性を有する素材からなる侵入防止線材２を適宜間隔を有して取り付けて集積場のごみ袋３を覆って鳥害を防止するものである。
【０００１２】  防護ネット１は麻、ナイロン又はテトロン等の化学製品を組成した太さ０，５〜１、０ｍｍの糸で構成され、網目の大きさは１ｃｍ〜５ｃｍ平方を基準としていずれも糸の太さ、網目の大きさは任意であり、この防護ネット１の大きさは３〜５ｍ平方のものが主として用いられるが集積場により変更は可能であり、着色には制限がない。
【０００１３】  防護ネット１に取り付けられる侵入防止線材２は、図１及び図２に示すように、２０ｃｍ〜３０ｃｍの長さを持って形成され、防護ネット１の全表面に亘って糸部分に１０ｃｍ〜２０ｃｍの間隔で図２のように半円弧状２ａに取り付けられる。
【０００１４】  この侵入防止線材２は、適宜間隔で円弧状となるように防護ネットに取り付けられる以外、予め円弧状に形成したものや長尺状の侵入防止線材２を円弧状に取り付けるものであってもよい
【０００１５】  侵入防止線材２の材質は、ナイロン、テトロン等の化学繊維で光沢のあるものが最適で、例えば、蛍光性の釣り糸５，０号が望ましい。
【０００１６】  侵入防止線材２は、防護ネット１に円弧状に取り付けられる以外、図２に示すように、同様の長さ（２０ｃｍ〜３０ｃｍ）で、その根元側を締結し、先端側を自由端として直線状２ｂに浮揚させて取り付けることによって、より効果的な防護対策とすることができる。
【符号の説明】
【０００１７】  １、防護ネット
２、侵入防止線材
３、ごみ袋
【手続補正書】
【提出日】平成24年3月30日(2012.3.30)
【手続補正１】
【補正対象書類名】実用新案登録請求の範囲
【補正対象項目名】全文
【補正方法】変更
【補正の内容】
【実用新案登録請求の範囲】
【請求項１】
糸を織成又は網組したプラスチック製等からなる集積されたごみ袋を覆う防護ネットに、光沢性を有する素材からなる侵入防止線材を適宜間隔を有して取り付けてなる防鳥ネット。
【請求項２】
前記侵入防止線材を防護ネットに、適宜間隔を有して半円弧状に取り付けてなることを特徴とする請求項１記載の防鳥ネット。
【請求項３】
前記侵入防止線材を防護ネットに、その根元側を締結し、先端側を自由端として浮揚させて取り付けてなることを特徴とする請求項１記載の防鳥ネット。
【手続補正２】
【補正対象書類名】明細書
【補正対象項目名】全文
【補正方法】変更
【補正の内容】
【考案の詳細な説明】
【技術分野】
【０００１】  本考案は、各団地等の集積場や路地に集積している生もの入りのごみ袋をからすなどの鳥類による食い散らかしを阻止する防鳥ネットに関するものである。
【背景技術】
【０００２】  団地などのごみ集積場のなま物などのゴミを鳥・動物等が侵入して食い散らかし周囲に散乱するのを防止するために高額な出費を必要とする強固なボックスの設置や集積されたむき出しのごみ袋を防護網で被覆して周囲をブロックなどの錘で押さえるもの等があった。
【考案の概要】
【考案が解決しようとする課題】
【０００３】  前示のとおり、ごみ集積場の鳥・動物害対策は社会問題であり、場所の制限も多く高額な出費を必要とする固定したボックスの設置が困難の場合が多く、又、現在多く利用されている防護網では鳥・動物害対策は十分でなかった。【０００４】  本考案は、鳥類特に被害の大きいからすの習性を利用して侵入を防ぎ、ごみ集積場における鳥害防止を図ることを目的とするものである。
【課題を解決するための手段】
【０００５】  本考案に係る防鳥ネットは、糸を織成又は網組したプラスチック製等からなる集積されたごみ袋を覆う防護ネットに、光沢性を有する素材からなる侵入防止線材を適宜間隔を有して取り付けてなることを特徴とするものである。【０００６】  さらに、前記侵入防止線材を防護ネットに、適宜間隔を有して半円弧状に取付けてなることを特徴とするものである。【０００７】  さらに、前記侵入防止線材を防護ネットに、その根元側を締結し、先端側を自由端として浮揚させて取り付けてなることを特徴とするものである。
【考案の効果】
【０００８】  本考案は、従来用いられている防護ネットに、鳥類特にからすが忌み嫌う習性を利用して侵入を防止してごみ類の散乱を防ぐことができる。【０００９】  従来のネットに、釣り糸等に利用されている光沢性を有する素材からなる侵入防止線材を適宜間隔で適宜取り付けるもので、簡便かつ容易に製せられ、同時に設置する際も特別な操作が不要であり、多額な費用を必要とせず安価に効果的な防鳥ネットを得ることができる。
【図面の簡単な説明】
【０００１０】
【図１】  本考案に係る防鳥ネットの一実施例を示す正面図である。
【図２】  図１の要部拡大図である。
【図３】  設置状態を示す略示図である。
【考案を実施するための形態】
【０００１１】  本考案に係る防鳥ネットは、糸を織成又は網組したプラスチック製等からなる集積されたごみ袋を覆う防護ネット１に、光沢性を有する素材からなる侵入防止線材２を適宜間隔を有して取り付けて集積場のごみ袋３を覆って鳥害を防止するものである。
【０００１２】  防護ネット１は麻、ナイロン又はテトロン等の化学製品を組成した太さ０，５〜１、０ｍｍの糸で構成され、網目の大きさは１ｃｍ〜５ｃｍ平方を基準としていずれも糸の太さ、網目の大きさは任意であり、この防護ネット１の大きさは３〜５ｍ平方のものが主として用いられるが集積場により変更は可能であり、着色には制限がない。
【０００１３】  防護ネット１に取り付けられる侵入防止線材２は、図１及び図２に示すように、２０ｃｍ〜３０ｃｍの長さを持って形成され、防護ネット１の全表面に亘って糸部分に１０ｃｍ〜２０ｃｍの間隔で図２のように半円弧状２ａに取り付けられる。
【０００１４】  この侵入防止線材２は、適宜間隔で円弧状となるように防護ネットに取り付けられる以外、予め円弧状に形成したものや長尺状の侵入防止線材２を円弧状に取り付けるものであってもよい
【０００１５】  侵入防止線材２の材質は、ナイロン、テトロン等の化学繊維で光沢のあるものが最適で、例えば、蛍光性の釣り糸５，０号が望ましい。
【０００１６】  侵入防止線材２は、防護ネット１に円弧状に取り付けられる以外、図２に示すように、同様の長さ（２０ｃｍ〜３０ｃｍ）で、その根元側を締結し、先端側を自由端として直線状２ｂに浮揚させて取り付けることによって、より効果的な防護対策とすることができる。
【符号の説明】
【０００１７】  １、防護ネット
２、侵入防止線材
３、ごみ袋